(57)【要約】【課題】交換局の切り替えまたは再開の際に、その前後の交換局で同じ基地局に対して同じエリア識別情報を使用できるようにする。【解決手段】移動体通信システムは、第１および第２の交換局(20,22)と、基地局(300)とを含む。基地局は、接続先の交換局が第１の交換局から第２の交換局に切り替わる場合に、移動局に送信するエリア識別情報を第１のエリア識別情報から第２のエリア識別情報に変更する(図9A,656)。第２の交換局は、第２のエリア識別情報への変更後に移動局(40)の位置登録要求を基地局から受信すると(図9B,674)、移動局と、変更前の第１のエリア識別情報とを対応付けて記憶部(204)に記憶する(図9B,686)。【選択図】図５
2016076907.tif 000002
【特許請求の範囲】
【請求項１】
第１および第２の交換局と、基地局とを含む移動体通信システムであって、
前記基地局は、
接続先の交換局が前記第１の交換局から前記第２の交換局に切り替わる場合に、移動局に送信するエリア識別情報を第１のエリア識別情報から第２のエリア識別情報に変更し、
前記第２の交換局は、
前記第２のエリア識別情報への変更後に前記移動局の位置登録要求を前記基地局から受信すると、前記移動局と、前記変更前の前記第１のエリア識別情報とを対応付けて記憶部に記憶する
ものであることを特徴とする移動体通信システム。
【請求項２】
前記基地局は、前記移動局に送信するエリア識別情報が前記第１のエリア識別情報であるときに前記第２の交換局から受信したエリア識別情報が前記第１のエリア識別情報であった場合に、前記移動局に送信するエリア識別情報を前記第１のエリア識別情報から前記第２のエリア識別情報に変更するものであることを特徴とする、請求項１に記載の移動体通信システム。
【請求項３】
交換局と、基地局とを含む移動体通信システムであって、
前記基地局は、
前記交換局が再開された場合に、前記移動局に送信するエリア識別情報を第１のエリア識別情報から第２のエリア識別情報に変更し、
前記交換局は、
前記第２のエリア識別情報への変更後に前記移動局の位置登録要求を前記基地局から受信すると、前記移動局と、前記変更前の前記第１のエリア識別情報とを対応付けて記憶部に記憶する
ものであることを特徴とする移動体通信システム。
【請求項４】
前記基地局は、前記移動局に送信するエリア識別情報が前記第１のエリア識別情報であるときに前記交換局から受信したエリア識別情報が前記第１のエリア識別情報であった場合に、前記移動局に送信するエリア識別情報を前記第１のエリア識別情報から前記第２のエリア識別情報に変更するものであることを特徴とする、請求項３に記載の移動体通信システム。
【請求項５】
接続先の交換局が第１の交換局から第２の交換局に切り替わる場合に、前記切り替え前に前記第１の交換局から受信したのと同じ第１のエリア識別情報を、前記第２の交換局から受信する第１の処理部と、
移動局に送信するエリア識別情報を、受信した前記第１のエリア識別情報から第２のエリア識別情報に変更し、前記第２のエリア識別情報への変更後に前記移動局から位置登録要求を受信する第２の処理部と、
を含み、
前記第１の処理部は、前記移動局の位置登録要求を前記第２の交換局に送信するものであることを特徴とする基地局装置。
【請求項６】
交換局が再開された場合に、前記再開前に前記交換局から受信したのと同じ第１のエリア識別情報を前記交換局から受信する第１の処理部と、
移動局に送信するエリア識別情報を、受信した前記第１のエリア識別情報から第２のエリア識別情報に変更し、前記第２のエリア識別情報への変更後に前記移動局から位置登録要求を受信する第２の処理部と、
を含み、
前記第１の処理部は、前記移動局の位置登録要求を前記交換局に送信するものであることを特徴とする基地局装置。
【請求項７】
基地局が、接続先の交換局が第１の交換局から第２の交換局に変更される場合に、移動局に送信するエリア識別情報を第１のエリア識別情報から第２のエリア識別情報に変更し、
前記第２の交換局が、前記第２のエリア識別情報への変更後に前記移動局の位置登録要求を前記基地局から受信すると、前記移動局と、前記変更前の前記第１のエリア識別情報とを対応付けて記憶部に記憶する
処理を実行する通信方法。
【請求項８】
交換局が再開された場合に、基地局が、移動局に送信するエリア識別情報を第１のエリア識別情報から第２のエリア識別情報に変更し、
前記交換局が、前記第２のエリア識別情報への変更後に前記移動局の位置登録要求を前記基地局から受信すると、前記移動局を、変更前の前記第１のエリア識別情報と対応付けて記憶部に位置登録を行う
処理を実行する通信方法。
【発明の詳細な説明】
【技術分野】
【０００１】
本発明は、基地局におけるエリア識別情報に関する。
【背景技術】
【０００２】
例えば構内交換機（ＰＢＸ）のような交換機は、無線基地局の呼出しエリアと、移動局端末が位置する呼出しエリアとに関する情報を保存する。交換機は、或る呼出しエリアに位置する移動局への呼を検出すると、移動局に対応付けられたエリア番号を取り出してそのエリア番号の基地局を介して着信または呼出し信号を移動局に送信する。
【０００３】
既知のシステムコードレス電話の位置登録方式では、交換機に複数のゾーンに対応して設けられた接続装置が接続され、各接続装置がゾーン内の子機と無線で通信を行う。子機は、交換機に対して処理を要求する信号を発生する手段と、ゾーン格納手段とを備えている。接続装置は、設定されたゾーン番号の保持手段と、子機からの要求信号を受信すると交換機に対して送信する手段、及び交換機からの確認信号を受け取ると子機に対してゾーン番号を付加して送信する手段とを備えている。交換機は、接続装置から送られた要求信号に付加されたゾーン番号によりゾーン登録テーブルの該当子機のゾーン番号を書替える登録処理手段を備えている。交換機が、要求信号に対する確認信号を送出し接続装置でゾーン番号を付加した確認信号を子機へ送信すると、子機は、受信したゾーン番号によりゾーン格納手段のゾーン番号を更新する。それによって、交換機に登録された位置と子機が保持する番号を発呼時の位置登録において完全に一致させることにより、着信が受け付けられない事態の発生を防止することができる。
【先行技術文献】
【特許文献】
【０００４】
【特許文献１】特開平０５−１５３６５５号公報
【発明の概要】
【発明が解決しようとする課題】
【０００５】
使用される交換局が最初の交換局から代替的な交換局へ切り替えられた場合、管理者は、通常、同じ基地局に対して、最初の交換局におけるエリア識別情報とは異なるエリア識別情報を、代替的な交換局に登録する。この場合、代替的な交換局は、同じ基地局に、その異なるエリア識別情報を設定させる。そうすると、基地局によって移動局に報知されるエリア識別情報が変化するので、移動局は位置登録要求を基地局に送信する。次いで、基地局は移動局の位置登録要求を代替的な交換局に送信し、代替的な交換局において、移動局がその異なるエリア識別情報と対応付けて登録される。
【０００６】
このように、最初の交換局に登録されたエリア識別情報は代替的な交換局で再使用または共用されないので、管理者は、最初の交換局に登録されたエリア識別情報とは異なるエリア識別情報を、代替的な交換局に登録する。しかし、代替的な交換局におけるそのような異なるエリア識別情報を設定する作業は、管理者にとって大きな負担となる。また、例えば、交換局が再開される場合の再開前と再開後の交換局についても、同様の問題が発生する。
【０００７】
発明者たちは、交換局が代替的な交換局へ切り替えられたときに、代替的な交換局において同じ基地局に同じエリア識別情報が割り当てられた場合にも移動局の位置登録要求が発生するようにすれば、移動局の情報が代替的な交換局に登録されるようになる、と認識した。
【０００８】
１つの観点では、本発明の目的は、交換局の切り替えまたは再開の際に、その前後の交換局で同じ基地局に対して同じエリア識別情報を使用できるようにすることである。
【課題を解決するための手段】
【０００９】
本発明の一態様によれば、第１および第２の交換局と、基地局とを含む移動体通信システムが提供される。基地局は、接続先の交換局が第１の交換局から第２の交換局に切り替わる場合に、移動局に送信するエリア識別情報を第１のエリア識別情報から第２のエリア識別情報に変更する。第２の交換局は、第２のエリア識別情報への変更後に移動局の位置登録要求を基地局から受信すると、移動局と、変更前の第１のエリア識別情報とを対応付けて記憶部に記憶する。
【発明の効果】
【００１０】
本発明の一観点によれば、交換局の切り替えまたは再開の際に、その前後の交換局で同じ基地局に対して同じエリア識別情報を使用でき、その場合でも後の交換局に移動局の情報が登録されるようにすることができる。
【図面の簡単な説明】
【００１１】
【図１】図１は、実施形態による、ネットワークに接続された、交換局装置、一群の無線の基地局装置および別の一群の無線の基地局装置を含む移動体通信システムの概略的構成の例を示している。
【図２Ａ】図２Ａは、基地局装置の概略的な構成（configuration）の例を示している。
【図２Ｂ】図２Ｂは、通信制御部のファームウェアまたはソフトウェアの概略的な構成（configuration）の例を示している。
【図３】図３は、交換局装置の概略的な構成（configuration）の例を示している。
【図４】図４Ａは、通常の形態による、交換局装置が動作している場合の、交換局装置における基地局装置および移動局装置に関する登録情報の例を示している。  図４Ｂは、通常の形態による、使用される交換局が１つの交換局装置から別の交換局装置切り替えられた場合の、切り替え後の交換局装置における基地局装置および移動局装置に関する登録情報の例を示している。
【図５】図５Ａは、実施形態による、交換局装置が動作している場合の、交換局装置における基地局装置および移動局装置に関する登録情報の例を示している。  図５Ｂは、実施形態による、使用される交換局が切り替えられた場合の、切り替え後の交換局装置における基地局装置および移動局装置に関する登録情報の例を示している。
【図６】図６は、基地局装置によって実行される、エリア制御のための処理のフローチャートの例を示している。
【図７】図７Ａ〜７Ｄは、基地局装置のエリア制御部において保持される管理情報の例を示している。
【図８Ａ】図８Ａおよび８Ｂは、移動局装置が基地局装置の呼出しエリアに入って交換局装置に登録されるまでの、移動局装置、基地局装置および交換局装置の間での送受信のシーケンスの例を示している。
【図８Ｂ】(図8Aで説明)
【図９Ａ】図９Ａおよび９Ｂは、移動局装置が交換局装置に登録された後で、使用される交換局が切り替えられた場合の、移動局装置、基地局装置および交換局装置の間での送受信のシーケンスの例を示している。
【図９Ｂ】(図9Aで説明)
【図１０Ａ】図１０Ａおよび１０Ｂは、移動局装置が交換局装置に登録された後で、交換局装置が初期再開された場合の、移動局装置、基地局装置および交換局装置の間での送受信のシーケンスの例を示している。
【図１０Ｂ】(図10Aで説明)
【発明を実施するための形態】
【００１２】
発明の目的および利点は、請求の範囲に具体的に記載された構成要素および組み合わせによって実現され達成される。
前述の一般的な説明および以下の詳細な説明は、典型例および説明のためのものであって、本発明を限定するためのものではない、と理解される。
【００１３】
本発明の非限定的な実施形態を、図面を参照して説明する。図面において、同様のコンポーネントおよび要素には同じ参照番号が付されている。
【００１４】
例えば構内交換機（ＰＢＸ）のような交換機または交換局は、交換局に呼出しエリアのエリア番号が登録されていない移動局に対する呼を、移動局に着信させることができない。例えば、移動局が或る呼出しエリアの外に移動した場合、交換局は、移動局が移動先の呼出しエリアで位置登録要求を基地局に送信して移動局の新しいエリア番号が交換局に登録されるまでは、その移動局に呼を着信させることができない。
【００１５】
一方、例えば、使用される交換局が最初の交換局から代替的な交換局へ切り替えられた場合に、仮に、同じ基地局に対して、最初の交換局に登録されたエリア番号と同じエリア番号が、代替的な交換局に登録されたとする。この場合、基地局によって呼出しエリア内の移動局に報知されるエリア番号は変化しないので、同じ呼出しエリア内に留まる移動局は位置登録要求を基地局に送信することはなく、従って、移動局が位置する呼出しエリアのエリア番号は代替的な交換局に登録されない。従って、代替的な交換局は、同じ呼出しエリア内に留まる移動局に呼を着信させることができない。
【００１６】
このような事態を回避するために、交換局の管理者は、通常、同じ基地局に対して、最初の交換局に登録されたエリア番号とは異なるエリア番号を、代替的な交換局に予め登録する。この場合、最初の交換局から代替的な交換局へ切り替えられたとき、代替的な交換局は、同じ基地局に、その異なるエリア番号を設定させる。そうすると、基地局によって移動局に報知されるエリア番号がその異なるエリア番号に変化するので、移動局は位置登録要求を基地局に送信するようになる。次いで、基地局は移動局の位置登録要求を代替的な交換局に送信し、代替的な交換局において、移動局がその異なるエリア番号と対応付けて登録されるようになる。従って、代替的な交換局は、同じ呼出しエリア内に留まる移動局に呼を着信させることができるようになる。
【００１７】
このように、最初の交換局に登録されたエリア番号は代替的な交換局で再利用または共用できないので、交換局の管理者は、最初の交換局に登録されたエリア番号と異なるエリア番号を、代替的な交換局に登録する必要がある。しかし、交換局におけるそのような異なるエリア番号を再設定する作業は、管理者にとって大きな負担である。また、例えば、再開が発生したときの１つの交換局についても、再開前と再開後の間で、同様の問題が発生する。
【００１８】
発明者たちは、交換局が代替的な交換局へ切り替えられた場合、代替的な交換局において同じ基地局に同じエリア番号が割り当てられても移動局の位置登録要求が発生するようにすれば、代替的な交換局に移動局のエリア番号が登録されるようになる、と認識した。また、発明者たちは、再開が発生したときの１つの交換局において、再開前と再開後の双方で同じ基地局に同じエリア番号が割り当てられても、再開後に移動局の位置登録要求が発生するようにすれば、再開後の交換局にエリア番号が登録されるようになる、と認識した。
【００１９】
実施形態の目的は、交換局の切り替えまたは再開の際に、その前後の２つのまたは１つの交換局において同じ基地局に対して同じエリア番号を使用できるようにし、それにもかかわらず移動局の位置登録要求が交換局に送信されるようにすることである。この目的は、実施形態によって達成することができる。
【００２０】
図１は、実施形態による、ネットワーク１に接続された、交換局装置２０および２２、一群の無線の基地局装置３００、３０２、３０４、および別の一群の無線の基地局装置３２２、３２４を含む移動体通信システムの概略的構成の例を示している。ここで、交換局装置２０は、例えば、正系または主系の構内交換機（ＰＢＸ）であり、交換局装置２２は、例えば、代替的なまたは副系のまたは予備用の構内交換機（ＰＢＸ）であるものとする。
【００２１】
ネットワーク１は、部分ネットワーク５０および５２等を含んでいる。ネットワーク１は、インターネット・プロトコル（ＩＰ）に準拠したイントラネットであり、例えばインターネットのような外部ネットワークを介して構築されてもよい。部分ネットワーク５０および５２は、それぞれのルータ１４および１６を介して互いに接続されている。ルータ１２がルータ１４に接続され、ルータ１４がルータ１６に接続されている。交換局装置２０はルータ１２に接続され、交換局装置２２はルータ１４に接続される。また、基地局装置３００〜３０４は部分ネットワーク５０に接続され、基地局装置３２２〜３２４は部分ネットワーク５２に接続されている。
【００２２】
交換局装置２０は、部分ネットワーク５０および５２上の基地局装置３００〜３０４および３２２〜３２４を介して、電話通信のための呼の設定および通話路の形成を行う。交換局装置２０において、基地局装置３００〜３０４には、部分ネットワーク５０に関連付けられた破線で囲まれた呼出しエリア６０が割り当てられている。また、交換局装置２０において、基地局装置３２２〜３２４には、部分ネットワーク５２に関連付けられた破線で囲まれた別の呼出しエリア６２が割り当てられている。交換局装置２２は、交換局装置２０から交換局装置２２へ切り替えられた後で、代替的に交換局装置２０と同様の形態で動作する。
【００２３】
子機としての移動局装置４０は、呼出しエリア６０内で親機としての基地局装置３００〜３０４を介して、同じまたは他の呼出しエリア６０、６２内の移動局装置４２、４６との間で電話通信を行う。移動局装置４０、４２、４６は、例えば、携帯端末、ＰＨＳ（Personal Handy-phone System）端末、内線電話用の移動端末、またはその他の端末装置であってもよい。
【００２４】
図２Ａは、基地局装置３００〜３２４の概略的な構成（configuration）の例を示している。
【００２５】
基地局装置３００〜３２４の各々は、例えば、プロセッサ３０２０、記憶部３０２６、ネットワーク・インタフェース（ＮＷ／ＩＦ）３０２８、通信制御部３０３０、および無線送受信部３０５０を含んでいる。プロセッサ３０２０または通信制御部３０３０は、ネットワーク・インタフェース３０２８を介しネットワーク１を介して交換局装置２０または２２に接続する。基地局装置３００〜３２４の各々は、外付けのドライブ３０５２に接続可能であってもよい。プロセッサ３０２０は、通信制御部３０３０の機能を含んでいてもよい。
【００２６】
プロセッサ３０２０は、コンピュータ用のＣＰＵ（Central Processing Unit）であってもよい。記憶部３０２６は、主記憶装置および補助記憶装置を含んでいる。主記憶装置は、半導体メモリ等の記憶装置を含んでいる。補助記憶装置は、例えば、フラッシュ・メモリのような半導体メモリを含んでいてもよい。ドライブ３０５２は、ソフトウェアが記録された例えば光ディスクまたは磁気ディスクのような記録媒体３０５６を読み取るためのものであってもよい。そのソフトウェアは、例えば、ＯＳ、データベース管理システム（ＤＢＭＳ）、アプリケーション・プログラム、等を含んでいてもよい。アプリケーション・プログラムは、通信制御用のアプリケーションを含んでいてもよい。
【００２７】
プロセッサ３０２０は、例えば集積回路として実装された専用のプロセッサであってもよい。また、プロセッサ３０２０は、記憶部３０２６に格納されたアプリケーション・プログラムに従って動作するものであってもよい。アプリケーション・プログラムは、記録媒体３０５６に格納されていて、ドライブ３０５２によって記録媒体３０５６から読み出されて基地局装置３００〜３２４にインストールされてもよい。
【００２８】
図２Ｂは、通信制御部３０３０のファームウェアまたはソフトウェアの概略的な構成（configuration）の例を示している。
【００２９】
通信制御部３０３０は、エリア制御部３０３２、メッセージ送受信部３０４０、無線チャネル制御部３０４２、設定ファイル３０３８、およびＯＳ（オペレーティング・システム）部３０４８を含んでいる。エリア制御部３０３２は、メッセージ送受信部３０４０、無線チャネル制御部３０４２に結合され、設定ファイル３０３８を参照することができる。設定ファイル３０３８は、記憶部３０２６における、例えばＲＡＭディスクに格納されてもよい。エリア制御部３０３２、メッセージ送受信部３０４０、および無線チャネル制御部３０４２は、ＯＳ部３０４８上で動作する。
【００３０】
エリア制御部３０３２は、対交換局制御部３０３４および対移動局制御部３０３６を含んでいる。対交換局制御部３０３４は、交換局装置２０、２２に対するリンク状態またはリンクアップ状態３０３４２と、交換局装置２０、２２から受信した受信エリア番号３０３４４とに関する情報を管理し参照する。リンク状態３０３４２は、リンクアップ状態またはリンクダウン状態のいずれかの状態をとる。また、対移動局制御部３０３６は、呼出しエリア内の移動局装置４０〜４６に報知または送信される報知エリア番号３０３６２を管理し参照する。交換局装置２０、２２との間で使用される受信エリア番号３０３４４と、移動局に送信される報知エリア番号３０３６２とは、共に同じ値を有する場合と、互いに異なる値を有する場合とがある。また、エリア制御部３０３２は設定ファイル３０３８を参照し、例えば、エリア制御部３０３２の対移動局制御部３０３６は設定ファイル３０３８中の補正要素の値を参照する。
【００３１】
設定ファイル３０３８は、コンフィギュレーション情報として、受信エリア番号Ｘに対する補正要素または補正値ΔＸ（例えば、ΔＸ＝１または−１）を格納している。報知エリア番号は、例えば、受信エリア番号Ｘと同じか、または受信エリア番号Ｘに補正要素を加算した合計値（Ｘ＋ΔＸ）であってもよい。補正要素ΔＸが負の値である場合、加算は、実質的には減算である。その合計値（Ｘ＋ΔＸ）は、交換局装置２０から交換局装置２２に切り替えられる前に、交換局装置２０の登録情報においていずれの呼出しエリアのエリア番号としても登録されていない値である。
【００３２】
図３は、交換局装置２０および２２のそれぞれの概略的な構成（configuration）の例を示している。
【００３３】
交換局装置２０および２２の各々は、コンピュータであってもよく、例えば、通話路設定のためのスイッチ部２６、プロセッサ２０２、記憶部２０４、および通信部２１０を含んでいる。プロセッサ２０２は、通信部２１０を介しネットワーク１を介して基地局装置３００〜３２４に接続する。
【００３４】
プロセッサ２０２は、コンピュータ用のＣＰＵ（Central Processing Unit）であってもよい。記憶部２０４は、主記憶装置および補助記憶装置を含んでいる。主記憶装置は、半導体メモリ等の記憶装置を含んでいる。補助記憶装置は、例えば、ハードディスク・ドライブ（ＨＤＤ）、および／または、フラッシュ・メモリのような半導体メモリを含んでいてもよい。プロセッサ２０２は、例えば集積回路として実装された専用のプロセッサであってもよい。また、プロセッサ２０２は、記憶部２０４に格納されたアプリケーション・プログラムに従って動作するものであってもよい。
【００３５】
次は、基地局装置３００および交換局装置２０、２２の概略的な動作について説明する。
【００３６】
図４Ａは、通常の形態による、交換局装置２０が動作している場合の、交換局装置２０、２２における基地局装置３００および移動局装置４０に関する登録情報の例を示している。
【００３７】
図４Ｂは、通常の形態による、使用される交換局が交換局装置２０から交換局装置２２に切り替えられた場合の、切り替え後の交換局装置２２における基地局装置３００および移動局装置４０に関する登録情報の例を示している。
【００３８】
図４Ａにおいて、交換局装置２０において、登録情報として、例えば、基地局装置３００〜３２４の複数の基地局識別情報“ＢＳ＃１”、“ＢＳ＃２”、“ＢＳ＃３”等に対するエリア識別情報またはエリア番号“１０”、“１０”、“２０”等が登録されている。また、交換局装置２０において、登録情報として、例えば、移動局装置４０の基地局識別情報“ＰＨＳ＿Ａ”に対するエリア番号“１０”が登録されている。
【００３９】
この場合、交換局装置２０の登録情報における移動局装置４０のエリア番号“１０”は、例えば次のような手順で登録されたものである。即ち、基地局装置３００〜３０４は、定期的に、呼出しエリア６０に、エリア番号“１０”を含む無線チャネル情報を報知または送信する。移動局装置４０は、移動して呼出しエリア６０内に入ると、基地局装置３００からエリア番号“１０”を受信し、その受信に応答して位置登録の要求を基地局装置３００に送信する。基地局装置３００は、移動局装置４０からの位置登録の要求の受信に応答して、移動局装置４０の位置登録の要求を交換局装置２０に送信する。交換局装置２０は、基地局装置３００からの移動局装置４０の位置登録の要求の受信に応答して、移動局装置４０の基地局識別情報“ＰＨＳ＿Ａ”を、登録情報における基地局装置３００のエリア番号“１０”に対応付けて、登録情報として記憶する。
【００４０】
一方、交換局装置２２において、登録情報として、例えば、基地局装置３００〜３２４の複数の基地局識別情報“ＢＳ＃１”〜“ＢＳ＃３”等に対するエリア番号“１１”、“１１”、“２１”等が予め登録されている。即ち、交換局装置２２の登録情報では、同じ基地局装置３００〜３２４に対して、交換局装置２０の登録情報におけるエリア番号“１０”、“１０”、“２０”とは異なるエリア番号“１１”、“１１”、“２１”がそれぞれ割り当てられている。従って、管理者は、交換局装置２２において、交換局装置２０の登録情報における基地局識別情報に対するエリア番号とは異なるエリア番号を、登録情報における同じ基地局識別情報に対するエリア番号として用意して登録する。
【００４１】
図４Ｂにおいて、交換局が交換局装置２０から交換局装置２２に切り替えられた場合、基地局装置３００〜３０４は、その切り替えに応答して、交換局装置２２にリンクアップしまたは接続して、交換局装置２２から新しいエリア番号を受信する。次いで、基地局装置３００は、呼出しエリア６０内の移動局に報知または送信するエリア番号を、受信した新しいエリア番号に変更する。新しいエリア番号は、例えば“１１”である。
【００４２】
その後、基地局装置３００〜３０４は、定期的に、呼出しエリア６０に、新しいエリア番号“１１”を含む無線チャネル情報を報知または送信する。移動局装置４０は、基地局装置３００からの変更された新しいエリア番号の受信に応答して、位置登録の要求を基地局装置３００に送信する。基地局装置３００は、移動局装置４０からの位置登録の要求の受信に応答して、移動局装置４０の位置登録の要求を交換局装置２２に送信する。交換局装置２２は、移動局装置４０の位置登録の要求の受信に応答して、移動局装置４０の基地局識別情報“ＰＨＳ＿Ａ”を、登録情報における基地局装置３００のエリア番号“１１”に対応付けて、登録情報として記憶する。
【００４３】
従って、この場合、移動局装置４０が位置する呼出しエリア６０の新しいエリア番号が交換局装置２２に登録されるので、交換局装置２２は、移動局装置４０に呼を着信させることができる。しかし、交換局装置２０と交換局装置２２の双方の登録情報の間で、基地局装置３００に割り当てられるエリア番号が互いに異なる。従って、管理者は、交換局装置２０に登録されたエリア番号と異なるように新しいエリア番号を慎重に決定して交換局装置２２に登録することを要し、その登録作業は大きな負担である。
【００４４】
図５Ａは、実施形態による、交換局装置２０が動作している場合の、交換局装置２０、２２における基地局装置３００および移動局装置４０に関する登録情報の例を示している。
【００４５】
図５Ｂは、実施形態による、使用される交換局が交換局装置２０から交換局装置２２に切り替えられた場合の、切り替え後の交換局装置２２における基地局装置３００および移動局装置４０に関する登録情報の例を示している。
【００４６】
図５Ａにおいて、図４Ａの場合と同様に、交換局装置２０において、登録情報として、例えば、基地局装置３００〜３２４の基地局識別情報“ＢＳ＃１”〜“ＢＳ＃３”等に対するエリア識別情報またはエリア番号“１０”、“１０”、“２０”等が登録されている。また、交換局装置２０において、登録情報として、例えば、移動局装置４０の基地局識別情報“ＰＨＳ＿Ａ”に対するエリア番号“１０”が登録されている。
【００４７】
一方、交換局装置２２において、登録情報として、交換局装置２０の登録情報と同様に、基地局装置３００〜３２４の基地局識別情報“ＢＳ＃１”〜“ＢＳ＃３”等に対して同じエリア番号“１０”、“１０”、“２０”等が登録されている。従って、管理者は、同じ基地局識別情報に対して、交換局装置２０の登録情報と同じエリア番号を、交換局装置２２の登録情報におけるエリア番号として用意して登録すればよい。
【００４８】
図５Ｂにおいて、交換局が交換局装置２０から交換局装置２２に切り替えられた場合、基地局装置３００〜３０４は、その切り替えに応答して、交換局装置２２にリンクアップしまたは接続して、交換局装置２２から、切り替え前と同じエリア番号を受信する。
【００４９】
一方、基地局装置３００は、受信したエリア番号が切り替え前の報知エリア番号と同じであれば、受信エリア番号Ｘに補正要素ΔＸを加算して得た合計値（Ｘ＋ΔＸ）を、呼出しエリア６０内の移動局に報知する新しい報知エリア番号として設定する。補正要素ΔＸは、正または負の値を表す。例えば、受信エリア番号Ｘが“１０”であり、補正要素ΔＸが “１”であり、新しい報知エリア番号が“１１”である。このように、受信エリア番号に補正要素を加算して報知エリア番号を求めることによって、異なる呼出しエリア６０および６２の基地局装置３００等および３２２等の異なる受信エリア番号（例えば、１０および２０）に対して、同じ補正要素を適用することができる。
【００５０】
その後、基地局装置３００〜３０４は、定期的に、呼出しエリア６０に、新しいエリア番号“１１”を含む無線チャネル情報を報知または送信する。移動局装置４０は、基地局装置３００からの変更された新しい報知エリア番号の受信に応答して、位置登録の要求を基地局装置３００に送信する。基地局装置３００は、移動局装置４０からの位置登録の要求の受信に応答して、移動局装置４０の位置登録の要求を交換局装置２２に送信する。交換局装置２２は、移動局装置４０の位置登録の要求の受信に応答して、移動局装置４０の基地局識別情報“ＰＨＳ＿Ａ”を、登録情報における基地局装置３００のエリア番号“１０”に対付けて、登録情報として記憶する。
【００５１】
従って、交換局装置２０と交換局装置２２の双方の登録情報における基地局装置３００のエリア番号は同じあるが、基地局装置３００から移動局装置４０に送信される報知エリア番号は変化する。従って、移動局装置４０は位置登録の要求を基地局装置３００に送信し、移動局装置４０が位置する呼出しエリア６０のエリア番号が交換局装置２２に登録されるので、交換局装置２２は、移動局装置４０に呼を着信させることができる。
【００５２】
その後、移動局装置４０が交換局装置２２に登録されるとき、および交換局装置２２が移動局装置４０に呼を着信させるときなどにおいて、基地局装置３００と交換局装置２２の間で基地局装置３００のエリア番号が送受信されることはない。従って、移動局装置４０が記憶している基地局装置３００の報知エリア番号（例えば、“１１”）が、交換局装置２２に送信されることはない。従って、交換局装置２２における登録情報中の基地局装置３００のエリア番号と、基地局装置３００における移動局に対する報知エリア番号とは、互いに独立に設定することができる。
【００５３】
また、交換局装置２０は、例えば交換機のフェーズ２（ＰＨ２）再開のような、初期設定を伴う再開または再立ち上げが行われた場合に、図５Ｂにおける切り替え後の交換局装置２２と同様の形態で動作する。ここで、フェーズ２は、交換呼処理を実行中の交換局が、故障処理や人為的処理等の要因により全ての交換呼処理を停止して、プログラムおよびハードウェアの呼処理データを初期設定し、保持している所データと加入者データのみで呼処理を再度開始する動作である。
【００５４】
交換局装置２０は、再開されると、移動局に関する全ての登録情報を失う。従って、交換局装置２０が再開された場合、基地局装置３００は、その再開の検出に応答して、新たに交換局装置２０にリンクアップしまたは接続して、切り替え前と同じエリア番号を交換局装置２０から受信する。
【００５５】
一方、基地局装置３００は、受信したエリア番号が再開前の報知エリア番号と同じであれば、受信エリア番号Ｘに補正要素ΔＸを加算して得た合計値（Ｘ＋ΔＸ）を、自己の新しい報知エリア番号として設定する。この場合、例えば、受信エリア番号Ｘが“１０”であり、補正要素ΔＸが“１”であり、新しい報知エリア番号が“１１”である。このように、受信エリア番号に補正要素を加算して報知エリア番号を求めることによって、異なる呼出しエリア６０および６２の基地局装置３００等および３２２等の異なる受信エリア番号（例えば、１０および２０）に対して、同じ補正要素を適用することができる。
【００５６】
その後、基地局装置３００〜３０４は、定期的に、呼出しエリア６０に、新しいエリア番号“１１”を含む無線チャネル情報を報知または送信する。移動局装置４０は、基地局装置３００からの変更された新しい報知エリア番号の受信に応答して、位置登録の要求を基地局装置３００に送信する。基地局装置３００は、移動局装置４０からの位置登録の要求の受信に応答して、移動局装置４０の位置登録の要求を交換局装置２０に送信する。再開後の交換局装置２０は、移動局装置４０の位置登録の要求の受信に応答して、移動局装置４０の基地局識別情報“ＰＨＳ＿Ａ”を、登録情報における基地局装置３００のエリア番号“１０”に対応付けて、登録情報として記憶する。
【００５７】
従って、再開前と再開後の交換局装置２０の登録情報における基地局装置３００のエリア番号は同じであるが、基地局装置３００から移動局装置４０に送信される報知エリア番号は変化する。従って、移動局装置４０は位置登録の要求を基地局装置３００に送信し、移動局装置４０が位置する呼出しエリア６０のエリア番号が再開後の交換局装置２０に登録されることになるので、再開後の交換局装置２０は、移動局装置４０に呼を着信させることができる。
【００５８】
図１において、基地局装置３０２〜３２４は、基地局装置３００と同様の形態で動作する。また、移動局装置４２および４６は、移動局装置４０と同様の形態で動作する。また、交換局装置２０および２２は、基地局装置３０２〜３２４に対して基地局装置３００に対するのと同様の形態で動作し、移動局装置４２および４６に対して移動局装置４０に対するのと同様の形態で動作する。
【００５９】
図６は、基地局装置３００によって実行される、エリア制御のための処理のフローチャートの例を示している。ここで、図６の処理は、通信制御部３０３０によって実行されるものとして説明するが、通信制御部３０３０の代わりに、同様の通信制御機能を含むプロセッサ３０２０によって実行されてもよい。
【００６０】
図７Ａ〜７Ｄは、基地局装置３００のエリア制御部３０３２において保持され参照される管理情報の例を示している。管理情報は、呼出しエリア６０の受信エリア番号、呼出しエリア６０の報知エリア番号、および交換局との接続状態に関する情報を含んでいる。
【００６１】
図６を参照すると、ステップ５０２において、基地局装置３００のエリア制御部３０３２（または対交換局制御部３０３４）は、いずれかの交換局装置２０または２２がネットワーク１上でオンライン状態であるかどうかを判定する。いずれの交換局装置もオンライン状態でないと判定された場合は、手順はステップ５０２に戻る。いずれかの交換局装置２０または２２がオンライン状態であると判定された場合は、手順はステップ５０４に進む。
【００６２】
ステップ５０４において、エリア制御部３０３２（対交換局制御部３０３４）は、自己の基地局装置３００が交換局装置２０または２２に対してリンクアップ状態かどうかを判定する。基地局装置３００がリンクアップ状態であると判定された場合は、手順はステップ５０２に戻る。基地局装置３００がリンクアップ状態でないまたはリンクダウン状態であると判定された場合は、手順はステップ５０６に進む。
【００６３】
基地局装置３００が交換局装置２０または２２に対してリンクアップ状態になく、即ちリンクダウン状態にあり、かつ初期状態である場合、エリア制御部３０３２は、例えば図７Ａのような管理情報を保持する。図７Ａにおいて、基地局装置３００は交換局装置２０、２２からエリア番号を未だ受信していないので、受信エリア番号は初期値０（ゼロ）であり、報知エリア番号は初期値０（ゼロ）である。一方、基地局装置３００が交換局装置２０または２２に対してリンクアップ状態にある場合、エリア制御部３０３２は、例えば図７Ｂ〜７Ｄのような管理情報を保持する。図７Ｂ〜７Ｄにおいて、受信エリア番号はＸ（例えば、１０）であり、報知エリア番号は、更新前の、初期値０（ゼロ）、同じ値Ｘ、または異なる値Ｙ（各矢印の左側）である。
【００６４】
ステップ５０６において、エリア制御部３０３２（対交換局制御部３０３４）は、オンライン状態にある交換局装置２０または２２にリンクアップ（接続）して、交換局装置２０または２２から基地局装置３００のエリア番号Ｘを受信して保持する（図７Ｂ〜７Ｄ）。このようにして、交換局装置２０または２２がオンライン状態であるにもかかわらず基地局装置３００が交換局装置２０または２２に対してリンクアップ状態にない場合に、基地局装置３００は、交換局装置２０または２２にリンクアップしてエリア番号Ｘを受信する。
【００６５】
ステップ５０８において、エリア制御部３０３２（対移動局制御部３０３６）は、受信エリア番号Ｘが現在の報知エリア番号（０、ＸまたはＹ）と同じであるかどうかを判定する。受信エリア番号Ｘ（例えば、１０）が、現在の報知エリア番号Ｘと同じであると判定された場合は、手順はステップ５１０に進む（図７Ｃ）。一方、受信エリア番号Ｘが、現在の報知エリア番号０（ゼロ）またはＹと異なると判定された場合は、手順はステップ５１２に進む（図７Ｂ、７Ｄ）。
【００６６】
ステップ５１０において、エリア制御部３０３２（対移動局制御部３０３６）は、基地局装置３００の受信エリア番号Ｘに補正要素ΔＸを加算して、合計値（Ｘ＋ΔＸ）を基地局装置３００の新しい報知エリア番号として設定する。例えば、図７Ｃのように、報知エリア番号Ｘ（例えば、１０）が、ＸからＸ＋ΔＸ（例えば、１１）に変更される。この場合、エリア制御部３０３２（対移動局制御部３０３６）は、新しい報知エリア番号Ｘ＋ΔＸ（例えば、１１）を移動局装置４０に送信する。この場合、移動局装置４０は、自装置が記憶する報知エリア番号の変化の検出に応答して、前述のように移動局装置４０の位置登録の要求を基地局装置３００に送信する。
【００６７】
ステップ５１２において、エリア制御部３０３２（対移動局制御部３０３６）は、基地局装置３００の報知エリア番号０またはＹを変更して、受信エリア番号Ｘを報知エリア番号として設定する。例えば、図７Ｄのように、現在の報知エリア番号０またはＹ（例えば、１１）がＸ（例えば、１０）に変更される。この場合、移動局装置４０は、エリア番号の変化の検出に応答して、前述のように位置登録の要求を基地局装置３００を介して送信する。従って、例えば、使用する交換局装置が交換局装置２２から元の交換局装置２０に切り替えられた場合、受信エリア番号と新しい報知エリア番号とが同じになる。
【００６８】
次は、移動局装置４０、基地局装置３００および交換局装置２０、２２の間でのより具体的な処理および送受信の手順について説明する。
【００６９】
図８Ａおよび８Ｂは、移動局装置４０が基地局装置３００の呼出しエリア６０に入って交換局装置２０に登録されるまでの、移動局装置４０、基地局装置３００および交換局装置２０、２２の間での送受信のシーケンスの例を示している。
【００７０】
図８Ａを参照すると、ステップ６０２において、基地局装置３００（対移動局制御部３０３６）は、定期的に、制御チャネル（ＢＣＣＨ（Broadcast Control CHannel））で、呼出しエリア６０内の移動局に、エリア番号を含む無線チャネル情報を報知または送信する。エリア番号は、例えば“１０”であってもよい。一方、移動局装置４０は、呼出しエリア６０内に入ると、基地局装置３００からエリア番号を含む無線チャネル情報を受信する。ステップ６０４において、移動局装置４０は、無線チャネル情報の受信に応答して、リンクチャネル確立の要求を基地局装置３００に送信する。
【００７１】
ステップ６０６において、基地局装置３００（対移動局制御部３０３６）は、リンクチャネル確立の要求の受信に応答して、移動局装置４０に対してリンクチャネルを割り当てる。移動局装置４０は、リンクチャネルの割り当てを受信する。ステップ６０８において、移動局装置４０は、割り当てられた下りリンクチャネル上で基地局装置３００に同期バーストを送信する。ステップ６１０において、基地局装置３００（対移動局制御部３０３６）は、上りリンクチャネル上で移動局装置４０に同期バーストを送信する。
【００７２】
図８Ｂを参照すると、ステップ６１６において、移動局装置４０は、同期バーストの受信に応答して、移動局装置４０の位置登録の要求を、移動局装置４０の識別情報または電話番号と共に基地局装置３００に送信する。
【００７３】
ステップ６１８において、基地局装置３００（対交換局制御部３０３４）は、位置登録の要求の受信に応答して、移動局装置４０の位置登録の要求を表す呼設定の要求（ＳＥＴＵＰ）のメッセージまたは信号を、交換局装置２０に送信する。ステップ６２０において、交換局装置２０（またはそのプロセッサ２０２）は、呼設定の要求の受信に応答して、呼設定の受付（ＣＡＬＬ ＰＲＯＣ）のメッセージまたは信号を基地局装置３００に送信する。
【００７４】
ステップ６２２において、交換局装置２０（プロセッサ２０２）は、付加情報（ＩＮＦＯ）としての認証の要求（メッセージ）を基地局装置３００に送信する。ステップ６２４において、基地局装置３００（対移動局制御部３０３６）は、認証の要求を移動局装置４０に送信する。ステップ６２６において、移動局装置４０は、認証の応答を基地局装置３００に送信する。
【００７５】
ステップ６２８において、基地局装置３００（対交換局制御部３０３４）は、付加情報（ＩＮＦＯ）としての認証の応答（メッセージ）を交換局装置２０に送信する。交換局装置２０（プロセッサ２０２）は、認証の応答を受信すると、基地局装置３００の識別情報または電話番号（ＰＨＳ＿Ａ）を、登録情報における移動局装置４０のエリア番号（例えば、１０）に対応付けて、登録情報として記憶部２０４に設定する。
【００７６】
ステップ６３０において、交換局装置２０（プロセッサ２０２）は、位置登録の完了を表す切断（ＤＩＳＣ）（メッセージ）を基地局装置３００に送信する。ステップ６３２において、基地局装置３００（対移動局制御部３０３６）は、位置登録の受付を移動局装置４０に送信する。
【００７７】
ステップ６３４において、基地局装置３００（対交換局制御部３０３４）は、解放（ＲＥＬ）（メッセージ）を交換局装置２０に送信する。ステップ６３６において、基地局装置３００（対移動局制御部３０３６）は、切断（ＤＩＳＣ）を表す信号を移動局装置４０に送信する。ステップ６３８において、交換局装置２０（プロセッサ２０２）は、解放完了（ＲＥＬ ＣＯＭＰ）（メッセージ）を基地局装置３００に送信する。
【００７８】
ステップ６４２において、基地局装置３００（対移動局制御部３０３６）は、移動局装置４０との間の無線チャネルを切断する。ステップ６４４において、移動局装置４０は、無線チャネルの切断に応答して、無線チャネルの切断の完了を表す信号を基地局装置３００に送信する。ステップ６４６において、基地局装置３００（対移動局制御部３０３６）は、定期的に、呼出しエリア６０内の移動局装置４０等の移動局に、制御チャネル（ＢＣＣＨ）で、呼出しエリア６０のエリア番号（例えば、“１０”）を含む無線チャネル情報を報知または送信する。
【００７９】
このようにして、移動局装置４０の識別情報または電話番号が、基地局装置３００を介して、基地局装置３００の呼出しエリア６０のエリア番号と共に交換局装置２０（記憶部２０４）の登録情報に登録される。
【００８０】
図９Ａおよび９Ｂは、移動局装置４０が交換局装置２０に登録された後で、使用する交換局が交換局装置２０から交換局装置２２に切り替えられた場合の、移動局装置４０、基地局装置３００および交換局装置２０、２２の間での送受信のシーケンスの例を示している。交換局装置２０から交換局装置２２への切り替えは、例えば、交換局装置２０に障害が発生したときに発生する。図９Ａおよび９Ｂのシーケンスは、図８Ａおよび８Ｂの後のシーケンスである。
【００８１】
図９Ａを参照すると、ステップ６５０において、交換局装置２０が、例えば障害の発生によって停止し、使用される交換局が交換局装置２２に切り替えられたものとする。ステップ６５２において、交換局装置２２（プロセッサ２０２）は、自己を初期化して起動しまたは立ち上がる。
【００８２】
ステップ６５４において、基地局装置３００（対交換局制御部３０３４）は、交換局装置２０との間のリンクダウン状態を検出して、ネットワーク１を介して、オンライン状態の交換局装置２２に対してリンク確立またはリンクアップの要求のメッセージを送信する。交換局装置２２（プロセッサ２０２）は、リンク確立の要求に応答して、記憶部２０４中の登録情報を参照して、基地局装置３００のエリア番号を含む制御情報を基地局装置３００に通知してもよい。ここで、交換局装置２２において予め登録されている基地局装置３００のエリア番号は、交換局装置２０において登録されていたエリア番号と同じ（例えば、“１０”）である。
【００８３】
ステップ６５６において、基地局装置３００（対移動局制御部３０３６）は、交換局装置２２への接続確立またはリンクアップの後、呼出しエリア６０内の移動局に対して報知する呼出しエリア６０のエリア番号を変更する。その際、基地局装置３００（対移動局制御部３０３６）は、交換局装置２２に登録されたまたは交換局装置２２から受信した基地局装置３００のエリア番号が、交換局の切替え前に呼出しエリア６０内の移動局に送信していた報知エリア番号と同じかどうかを判定する。
【００８４】
切替え後の交換局装置２２から受信したエリア番号が、移動局に対する報知エリア番号と同じである場合、基地局装置３００（対移動局制御部３０３６）は、受信エリア番号Ｘに補正要素ΔＸを加算した値Ｙを、移動局に対する新しい報知エリア番号として設定する。例えば、受信エリア番号Ｘと報知エリア番号とが同じ“１０”であれば、受信エリア番号“１０”に補正要素ΔＸ＝１を加算して得た値“１１”が新しい報知エリア番号Ｙとして設定される。
【００８５】
一方、切替え後の交換局装置２２から受信したエリア番号が、移動局に送信していた報知エリア番号と異なる場合、基地局装置３００（対移動局制御部３０３６）は、受信エリア番号Ｘを、移動局に対する新しい報知エリア番号として設定する。例えば、受信エリア番号Ｘが“１０”であり、報知エリア番号Ｙが異なる“１１”であれば、受信エリア番号“１０”が新しい報知エリア番号（Ｘ）として設定される。従って、基地局装置３００において受信エリア番号と報知エリア番号が異なっていても、また同じであっても、報知エリア番号が変更される。
【００８６】
ステップ６５８において、基地局装置３００（対移動局制御部３０３６）は、定期的に、呼出しエリア６０内の移動局に対して、制御チャネルで呼出しエリア６０の報知エリア番号（例えば、１１）を含む無線チャネル情報を報知する。移動局装置４０は、呼出しエリア６０内に位置するので、定期的に、基地局装置３００から、報知エリア番号を含む無線チャネル情報を受信する。ステップ６６０において、移動局装置４０は、報知エリア番号を含む無線チャネル情報の受信に応答して、報知エリア番号が変更されたので、新しいエリア内に移動した場合と同様に、リンクチャネル確立の要求を基地局装置３００に送信する。ステップ６６２において、基地局装置３００（対移動局制御部３０３６）は、リンクチャネル確立の要求に応答して、移動局装置４０に対してリンクチャネルを割り当てる。
【００８７】
ステップ６６４および６６６は、それぞれ図８Ａのステップ６０８および６１０と同様である。
【００８８】
図９Ｂを参照すると、ステップ６７２において、移動局装置４０は、同期バーストの受信に応答して、移動局装置４０の位置登録の要求を、移動局装置４０の識別情報または電話番号（ＰＳ番号）と共に基地局装置３００に送信する。
【００８９】
ステップ６７４において、基地局装置３００（対交換局制御部３０３４）は、位置登録の要求の受信に応答して、移動局装置４０の位置登録の要求を表す呼設定の要求（ＳＥＴＵＰ）（メッセージ）を、交換局装置２２に送信する。ステップ６７６において、交換局装置２２（プロセッサ２０２）は、呼設定の要求の受信に応答して、呼設定の受付（ＣＡＬＬ ＰＲＯＣ）（メッセージ）を基地局装置３００に送信する。
【００９０】
ステップ６７８において、交換局装置２２（プロセッサ２０２）は、付加情報（ＩＮＦＯ）としての認証の要求（メッセージ）を基地局装置３００に送信する。ステップ６８０および６８２は、それぞれ図８Ｂのステップ６２４および６２６と同様である。
【００９１】
ステップ６８４において、基地局装置３００（対交換局制御部３０３４）は、付加情報（ＩＮＦＯ）としての認証の応答（メッセージ）を交換局装置２２に送信する。ステップ６８６において、交換局装置２２（プロセッサ２０２）は、応答を受信すると、基地局装置３００の識別情報または電話番号（ＰＨＳ＿Ａ）を、登録情報中の移動局装置４０のエリア番号（例えば１０）に対応付けて登録情報として記憶部２０４に設定する。
【００９２】
ステップ６８８において、交換局装置２２（プロセッサ２０２）は、位置登録の完了を表す切断（ＤＩＳＣ）（メッセージ）を基地局装置３００に送信する。ステップ６９０は、図８Ｂのステップ６３２と同様である。ステップ６９２において、基地局装置３００（対交換局制御部３０３４）は、解放（ＲＥＬ）（メッセージ）を交換局装置２２に送信する。
【００９３】
ステップ６９４は、図８Ｂのステップ６３６と同様である。ステップ６９６において、交換局装置２２（プロセッサ２０２）は、解放完了（ＲＥＬ ＣＯＭＰ）（メッセージ）を基地局装置３００に送信する。ステップ７００および７０２は、それぞれ図８Ｂのステップ６４０および６４４と同様である。
【００９４】
その後、図８Ｂのステップ６４６と同様に、基地局装置３００（対移動局制御部３０３６）は、定期的に、呼出しエリア６０内の移動局に、制御チャネル（ＢＣＣＨ）で、変更後の報知エリア番号（例えば、１１）を含む無線チャネル情報を報知する。
【００９５】
このようにして、移動局装置４０の識別情報または電話番号が、基地局装置３００を介して、交換局装置２２における登録情報中の基地局装置３００のエリア番号に対応付けて、交換局装置２２（記憶部２０４）の登録情報に登録される。基地局装置３００は、呼出しエリア６０内の移動局に対して、変更された報知エリア番号を送信する。一方、交換局装置２２は、基地局装置３００のエリア番号として、交換局装置２０の登録情報と同じエリア番号を使用する。
【００９６】
図１０Ａおよび１０Ｂは、移動局装置４０が交換局装置２０に登録された後で、交換局装置２０が再開された場合の、移動局装置４０、基地局装置３００および交換局装置２０の間での送受信のシーケンスの例を示している。交換局装置２０の再開は、例えば、交換局装置２０に瞬間的なまたは一時的な障害が発生したときに発生する。図１０Ａおよび１０Ｂのシーケンスは、図８Ａおよび８Ｂの後のシーケンスである。
【００９７】
図１０Ａを参照すると、ステップ６５３において、交換局装置２０が、例えば障害の発生によって自動的に再開されたものとする。ステップ６５３において、交換局装置２０（プロセッサ２０２）は、自己を初期化して再起動しまたは再び立ち上がる。
【００９８】
ステップ６５５において、基地局装置３００（対交換局制御部３０３４）は、交換局装置２０との間のリンクダウン状態を検出して、ネットワーク１を介して、オンライン状態にある交換局装置２０に対してリンク確立またはリンクアップの要求を送信する。交換局装置２０（プロセッサ２０２）は、リンク確立の要求に応答して、記憶部２０４中の登録情報を参照して、基地局装置３００にエリア番号を含む制御情報を再度通知してもよい。ここで、交換局装置２０において予め登録されている基地局装置３００のエリア番号は、再開時においても、再開前と同じ（例えば、１０）である。
【００９９】
ステップ６５７において、基地局装置３００（対移動局制御部３０３６）は、交換局装置２０への接続確立またはリンクアップの後、呼出しエリア６０内の移動局に対して報知または送信する呼出しエリア６０のエリア番号を変更する。その際、基地局装置３００（対移動局制御部３０３６）は、交換局装置２０に登録されたまたは交換局装置２０から受信した基地局装置３００のエリア番号が、交換局の再開前に呼出しエリア６０内の移動局に送信していた報知エリア番号と同じかどうかを判定する。
【０１００】
再開後の交換局装置２０から受信したエリア番号が、移動局に対する報知エリア番号と同じである場合、基地局装置３００（対移動局制御部３０３６）は、受信エリア番号Ｘに補正要素ΔＸを加算した値Ｙを、移動局に対する新しい報知エリア番号として設定する。例えば、受信エリア番号Ｘと報知エリア番号とが同じ“１０”であれば、受信エリア番号“１０”に補正要素ΔＸ＝１を加算して得た値“１１”が新しい報知エリア番号Ｙとして設定される。
【０１０１】
一方、再開後の交換局装置２０から受信したエリア番号が、移動局に送信していた報知エリア番号と異なる場合、基地局装置３００（対移動局制御部３０３６）は、受信エリア番号Ｘを、移動局に対する新しい報知エリア番号として設定する。例えば、受信エリア番号Ｘが“１０”であり、報知エリア番号Ｙが異なる“１１”であれば、受信エリア番号“１０”が新しい報知エリア番号（Ｘ）として設定される。従って、基地局装置３００において受信エリア番号と報知エリア番号が異なっていても、また同じであっても、報知エリア番号が変更される。
【０１０２】
ステップ６５８において、基地局装置３００（対移動局制御部３０３６）は、定期的に、呼出しエリア６０内の移動局に対して、制御チャネルで呼出しエリア６０の報知エリア番号（例えば、１１）を含む無線チャネル情報を報知する。移動局装置４０は、呼出しエリア６０内に位置するので、定期的に、基地局装置３００から報知エリア番号を含む無線チャネル情報を受信する。ステップ６６０〜６６６は、図９Ａのステップ６６０〜６６６と同様である。
【０１０３】
図１０Ｂを参照すると、ステップ６７２は、図９Ｂのものと同様である。
【０１０４】
ステップ６７５において、基地局装置３００（対交換局制御部３０３４）は、位置登録の要求の受信に応答して、移動局装置４０の位置登録の要求を表す呼設定の要求（ＳＥＴＵＰ）（メッセージ）を、交換局装置２０に送信する。ステップ６７７において、交換局装置２０（プロセッサ２０２）は、呼設定の要求の受信に応答して、呼設定の受付（ＣＡＬＬ ＰＲＯＣ）（メッセージ）を基地局装置３００に送信する。
【０１０５】
ステップ６７９において、交換局装置２０（プロセッサ２０２）は、付加情報（ＩＮＦＯ）としての認証の要求（メッセージ）を基地局装置３００に送信する。ステップ６８０および６８２は、それぞれ図８Ｂのステップ６２４および６２６と同様である。
【０１０６】
ステップ６８５において、基地局装置３００（対交換局制御部３０３４）は、付加情報（ＩＮＦＯ）としての認証の応答（メッセージ）を交換局装置２０に送信する。ステップ６８７において、交換局装置２０（プロセッサ２０２）は、応答を受信すると、基地局装置３００の識別情報または電話番号（ＰＨＳ＿Ａ）を、登録情報中の移動局装置４０のエリア番号（例えば１０）に対応付けて登録情報として記憶部２０４に設定する。
【０１０７】
ステップ６８９において、交換局装置２０（プロセッサ２０２）は、位置登録の完了を表す切断（ＤＩＳＣ）（メッセージ）を基地局装置３００に送信する。ステップ６９０は、図８Ｂのステップ６９０と同様である。ステップ６９３において、基地局装置３００（対交換局制御部３０３４）は、解放（ＲＥＬ）（メッセージ）を交換局装置２０に送信する。
【０１０８】
ステップ６９４は、図８Ｂのステップ６３６と同様である。ステップ６９７において、交換局装置２０（プロセッサ２０２）は、解放完了（ＲＥＬ ＣＯＭＰ）（メッセージ）を基地局装置３００に送信する。ステップ７００および７０２は、それぞれ図８Ｂのステップ６４０および６４４と同様である。
【０１０９】
その後、図８Ｂのステップ６３６と同様に、基地局装置３００（対移動局制御部３０３６）は、定期的に、呼出しエリア６０内の移動局に、制御チャネル（ＢＣＣＨ）で、変更後の報知エリア番号（例えば、１１）を含む無線チャネル情報を報知する。
【０１１０】
このようにして、移動局装置４０の識別情報または電話番号が、基地局装置３００を介して、交換局装置２０における登録情報中の基地局装置３００のエリア番号に対応付けて、交換局装置２０（記憶部２０４）の登録情報に再登録される。基地局装置３００は、呼出しエリア６０内の移動局に対して、変更された報知エリア番号を報知する。一方、交換局装置２０は、基地局装置３００のエリア番号として、再開前のエリア番号と同じエリア番号を使用する。
【０１１１】
上述のように、実施形態によれば、交換局の管理者は、最初の交換局に登録されたエリア識別情報と同じエリア識別情報を、代替的な交換局に登録することができる。また、実施形態によれば、管理者は、再開前の交換局に登録されたエリア識別情報と同じエリア識別情報を、再開後の交換局に登録することができる。従って、管理者にとって、各交換局におけるエリア識別情報の設定作業の負担が大幅に軽減される。
【０１１２】
ここで挙げた全ての例および条件的表現は、発明者が技術促進に貢献した発明および概念を読者が理解するのを助けるためのものであり、ここで具体的に挙げたそのような例および条件に限定することなく解釈され、また、明細書におけるそのような例の編成は本発明の優劣を示すこととは関係ない、と理解される。本発明の実施形態を詳細に説明したが、本発明の精神および範囲から逸脱することなく、それに対して種々の変更、置換および変形を施すことができる、と理解される。
【０１１３】
以上の実施例を含む実施形態に関して、さらに以下の付記を開示する。
（付記１）第１および第２の交換局と、基地局とを含む移動体通信システムであって、
前記基地局は、
接続先の交換局が前記第１の交換局から前記第２の交換局に切り替わる場合に、移動局に送信するエリア識別情報を第１のエリア識別情報から第２のエリア識別情報に変更し、
前記第２の交換局は、
前記第２のエリア識別情報への変更後に前記移動局の位置登録要求を前記基地局から受信すると、前記移動局と、前記変更前の前記第１のエリア識別情報とを対応付けて記憶部に記憶する
ものであることを特徴とする移動体通信システム。
（付記２）前記基地局は、前記移動局に送信するエリア識別情報が前記第１のエリア識別情報であるときに前記第２の交換局から受信したエリア識別情報が前記第１のエリア識別情報であった場合に、前記移動局に送信するエリア識別情報を前記第１のエリア識別情報から前記第２のエリア識別情報に変更するものであることを特徴とする、付記１に記載の移動体通信システム。
（付記３）前記基地局は、前記移動局に送信するエリア識別情報が前記第２のエリア識別情報であるときに前記第２の交換局から受信したエリア識別情報が前記第１のエリア識別情報であった場合に、前記移動局に送信するエリア識別情報を前記第２のエリア識別情報から前記第１のエリア識別情報に変更するものであることを特徴とする、付記１または２に記載の移動体通信システム。
（付記４）前記基地局は正または負の補正値を記憶しており、前記第２のエリア識別情報は前記第１のエリア識別情報に前記補正値を加算したものであることを特徴とする、付記１乃至３のいずれかに記載の移動体通信システム。
（付記５）前記第１の交換局および前記第２の交換局は、共に、前記基地局のエリア識別情報として前記第１のエリア識別情報を記憶部に記憶するものであることを特徴とする、付記１乃至４のいずれかに記載の移動体通信システム。
（付記６）交換局と、基地局とを含む移動体通信システムであって、
前記基地局は、
前記交換局が再開された場合に、前記移動局に送信するエリア識別情報を第１のエリア識別情報から第２のエリア識別情報に変更し、
前記交換局は、
前記第２のエリア識別情報への変更後に前記移動局の位置登録要求を前記基地局から受信すると、前記移動局と、前記変更前の前記第１のエリア識別情報とを対応付けて記憶部に記憶する 
ものであることを特徴とする移動体通信システム。
（付記７）前記基地局は、前記移動局に送信するエリア識別情報が前記第１のエリア識別情報であるときに前記交換局から受信したエリア識別情報が前記第１のエリア識別情報であった場合に、前記移動局に送信するエリア識別情報を前記第１のエリア識別情報から前記第２のエリア識別情報に変更するものであることを特徴とする、付記６に記載の移動体通信システム。
（付記８）前記基地局は、前記移動局に送信するエリア識別情報が前記第２のエリア識別情報であるときに前記交換局から受信したエリア識別情報が前記第１のエリア識別情報であった場合に、前記移動局に送信するエリア識別情報を前記第２のエリア識別情報から前記第１のエリア識別情報に変更するものであることを特徴とする、付記６または７に記載の移動体通信システム。
（付記９）前記基地局は正または負の補正値を記憶しており、前記第２のエリア識別情報は前記第１のエリア識別情報に前記補正値を加算したものであることを特徴とする、付記６乃至８のいずれかに記載の移動体通信システム。
（付記１０）前記交換局は、前記変更前および前記変更後において、前記基地局のエリア識別情報として前記第１のエリア識別情報を記憶部に記憶するものであることを特徴とする、付記６乃至９のいずれかに記載の移動体通信システム。
（付記１１）接続先の交換局が第１の交換局から第２の交換局に切り替わる場合に、前記切り替え前に前記第１の交換局から受信したのと同じ第１のエリア識別情報を、前記第２の交換局から受信する第１の処理部と、
移動局に送信するエリア識別情報を、受信した前記第１のエリア識別情報から第２のエリア識別情報に変更し、前記第２のエリア識別情報への変更後に前記移動局から位置登録要求を受信する第２の処理部と、
を含み、
前記第１の処理部は、前記移動局の位置登録要求を前記第２の交換局に送信するものであることを特徴とする基地局装置。
（付記１２）交換局が再開された場合に、前記再開前に前記交換局から受信したのと同じ第１のエリア識別情報を前記交換局から受信する第１の処理部と、
移動局に送信するエリア識別情報を、受信した前記第１のエリア識別情報から第２のエリア識別情報に変更し、前記第２のエリア識別情報への変更後に前記移動局から位置登録要求を受信する第２の処理部と、
を含み、
前記第１の処理部は、前記移動局の位置登録要求を前記交換局に送信するものであることを特徴とする基地局装置。
（付記１３）基地局が、接続先の交換局が第１の交換局から第２の交換局に変更される場合に、移動局に送信するエリア識別情報を第１のエリア識別情報から第２のエリア識別情報に変更し、
前記第２の交換局が、前記第２のエリア識別情報への変更後に前記移動局の位置登録要求を前記基地局から受信すると、前記移動局と、前記変更前の前記第１のエリア識別情報とを対応付けて記憶部に記憶する
処理を実行する通信方法。
（付記１４）交換局が再開された場合に、基地局が、移動局に送信するエリア識別情報を第１のエリア識別情報から第２のエリア識別情報に変更し、
前記交換局が、前記第２のエリア識別情報への変更後に前記移動局の位置登録要求を前記基地局から受信すると、前記移動局を、変更前の前記第１のエリア識別情報と対応付けて記憶部に位置登録を行う
処理を実行する通信方法。
【符号の説明】
【０１１４】
１  ネットワーク
２０、２２  交換局装置
２０２  プロセッサ
２０４  記憶部
３００、３０２、３０４、３２２、３２４  基地局装置
３０２０  プロセッサ
３０３０  通信制御部
３０３２  エリア制御部
３０３４  対交換局制御部
３０３６  対移動局制御部
４０、４２、４６  移動局装置
６０、６２  呼出しエリア
【図１】
2016076907.tif 000003
【図２Ａ】
2016076907.tif 000004
【図２Ｂ】
2016076907.tif 000005
【図３】
2016076907.tif 000006
【図４】
2016076907.tif 000007
【図５】
2016076907.tif 000008
【図６】
2016076907.tif 000009
【図７】
2016076907.tif 000010
【図８Ａ】
2016076907.tif 000011
【図８Ｂ】
2016076907.tif 000012
【図９Ａ】
2016076907.tif 000013
【図９Ｂ】
2016076907.tif 000014
【図１０Ａ】
2016076907.tif 000015
【図１０Ｂ】
2016076907.tif 000016